(57)【特許請求の範囲】
【請求項１】
ディジタル映像信号を発生するカメラヘッド部と、上記ディジタル映像信号を伝送するための本線映像回線を備えた伝送部と、この伝送部を介して上記カメラヘッド部に結合されたカメラ制御部とを有するテレビジョンカメラ装置において、
上記カメラヘッド部側に、該カメラヘッド部で画像処理され上記カメラ制御部に伝送される本線ディジタル映像信号の最下位ビットのデータを、上記画像処理された部分の信号であることを示す指示信号のデータで置換する手段を設け、
上記カメラ制御部側に、上記カメラヘッド部から伝送された本線ディジタル映像信号の最下位ビットのデータから上記指示信号を抽出する手段と、上記抽出された指示信号により上記画像処理された部分に対応する本線ディジタル映像信号レベルを制御し、画像処理された範囲確認用の映像信号を作成し出力する手段とを設け、
上記画像処理された範囲確認用の映像信号により、上記本線ディジタル映像信号出力中に、画像処理範囲の確認と画像処理調整を行うように構成したことを特徴とするテレビジョンカメラ装置。
【請求項２】
ディジタル映像信号を発生するカメラヘッド部と、上記ディジタル映像信号を伝送するための本線映像回線を備えた伝送部と、この伝送部を介して上記カメラヘッド部に結合されたカメラ制御部とを有するテレビジョンカメラ装置において、
上記カメラヘッド部側に、該カメラヘッド部でスキントーンＤＴＬ処理され上記カメラ制御部に伝送される本線ディジタル映像信号の最下位ビットのデータを、上記スキントーンＤＴＬ処理された部分の信号であることを示す指示信号のデータで置換する手段を設け、
上記カメラ制御部側に、上記カメラヘッド部から伝送された本線ディジタル映像信号の最下位ビットのデータから上記指示信号を抽出する手段と、上記抽出された指示信号により上記スキントーンＤＴＬ処理された部分に対応する本線ディジタル映像信号レベルを制御し、スキントーンＤＴＬ処理された範囲確認用の映像信号を作成し出力する手段と、上記カメラヘッド部にスキントーンＤＴＬ処理に関する制御信号を出力すると共に上記スキントーンＤＴＬ処理された範囲確認用の映像信号を作成し出力する手段のオンオフを制御する制御手段とを設け、
上記スキントーンＤＴＬ処理された範囲確認用の映像信号により、上記本線ディジタル映像信号出力中に、スキントーンＤＴＬ処理された範囲の確認とスキントーンＤＴＬ調整を行うように構成したことを特徴とするテレビジョンカメラ装置。
【発明の詳細な説明】
【０００１】
【発明の属する技術分野】
本発明は、カメラヘッド部とカメラ制御部とを独立して備えたディジタル方式のテレビジョンカメラ装置に係り、特にスキントーンＤＴＬ（ディティール：輪郭強調)処理などの高度の処理機能を備えた業務用に好適なディジタルテレビジョンカメラ装置に関する。
【０００２】
【従来の技術】
放送局などで業務用として使用される高品質のテレビジョンカメラ装置は、カメラヘッド部(以下、ヘッド部と呼ぶ)とカメラ制御部(以下、ＣＣＵ部と呼ぶ)が別体で構成され、両者を伝送部により、ケーブルを介して結合する形式のものが一般的である。
【０００３】
また、このようなテレビジョンカメラでも、従来は、撮影した画像情報の処理をアナログ方式で行なうのが一般的であったが、近年、ディジタル処理方式のカメラシステムが広く使用されるようになり、このとき、更にヘッド部とＣＣＵ部間の伝送もディジタルで処理する方式のテレビジョンカメラも使用され始めている。
【０００４】
ところで、このときの画像処理の代表的な例としては、画像の中の特定の色相部分、例えば人間の肌色(スキントーン)部分についてだけ独立に輪郭強調の度合いを制御する、いわゆるスキントーンＤＴＬ処理がある。
なお、このスキントーンＤＴＬ処理に関する技術としては、特開平７−１４３５１０号公報の記載を挙げることができる。
【０００５】
しかして、この場合、その処理が、操作者の意図した画像部分、すなわち、意図した色相部分に正しく施されたか否かを表示して確認するのが望ましい。
しかしながら、このとき、スキントーンＤＴＬ処理が施された映像信号をヘッド部からＣＣＵ部に伝送し、カラーモニタなどにそのまま表示させただけでは確認が困難なので、通常は、スキントーンＤＴＬ処理が施された画像部分を一定レベルの明るさに置き換えた処理範囲確認用の映像信号を作成し、これを表示させることにより確認する方法が一般的に採用されている。
【０００６】
一方、このようなカメラシステムでは、そのヘッド部とＣＣＵ部間の伝送容量については、基本的には余分な容量を持たせず設計されているのが通例であり、このため、例えば、このスキントーンＤＴＬ処理確認用の映像信号の伝送用として、更なる伝送容量の付加や、更なる回線の付加は困難である。
そこで、従来技術では、この処理範囲確認用の映像信号を、本線映像回線を介して、本線映像信号に置き換えてＣＣＵ部に伝送するようにしていた。
【０００７】
図３は、このような従来技術によるテレビジョンカメラシステムの一例を示したもので、システム全体は、ヘッド部１と伝送部２、それにＣＣＵ部３から構成されている。
そして、まずヘッド部１は、テレビカメラを含むヘッド処理部４と画素データ置換器１１を備え、全体は、図示されていないペデスタルやドリーなどに、雲台を介して保持され、テレビジョンカメラの本体部分を構成している。
【０００８】
次に伝送部２は、伝送用のケーブルを介して結合された一方の部分と他方の部分からなり、その一方の部分がヘッド部１に、他方の部分はＣＣＵ部３に夫々含まれ、ヘッド部１とＣＣＵ部３間でのデータ伝送を司る。
【０００９】
さらにＣＣＵ部３は、ＣＣＵ処理部７とコントローラ１０、それに伝送部２の一部とで構成されている。
そして、コントローラ１０からは、処理可変制御信号Ａと範囲表示制御信号Ｂが出力され、これらの信号は、伝送部２を介してヘッド部１に伝送されるようになっている。
【００１０】
ここで、処理可変制御信号Ａとは、スキントーンＤＴＬの対象とすべき色相を設定する信号Ａ1 と、そのＤＴＬ量の強弱を設定する信号Ａ2 の２種からなる可変値の信号であり、次に、範囲表示制御信号Ｂとは、スキントーンＤＴＬの対象となっている色相の画像上での位置や範囲を、操作者用の映像信号に加算表示するか否かを制御するｏｎ／ｏｆｆ信号である。
【００１１】
そして、この従来技術でのスキントーンＤＴＬに関連した制御信号についての動作は、以下の通りになっている。
ここで、コントローラ１０には、処理可変制御信号Ａの中の対象色相設定用信号Ａ1 を発生するためと、ＤＴＬ量の強弱設定用信号Ａ2 を発生するための計２個のツマミと、それに範囲表示制御信号Ｂをｏｎ／ｏｆｆする範囲表示スイッチ１個が最低限装備されている。
【００１２】
従って、これらの信号は、何れも人間の操作により発生されるため、時間的にかなり遅い変化を示す、ほぼ直流に近い信号で、このときの信号形式は、例えば対象色相設定用信号Ａ1 と強弱設定用信号Ａ2 としては、０〜５Ｖの連続可変電圧信号で、範囲表示制御信号Ｂとしては、０Ｖと５Ｖの二値を取る信号であり、これらの各制御信号は、伝送部２を介してヘッド部１に伝送され、処理可変制御信号Ａはヘッド処理部４に、そして範囲表示制御信号Ｂは画素データ置換器１１に入力される。
【００１３】
そこで、まずヘッド処理部４は、対象色相設定用信号Ａ1 の電圧値に応じてスキントーンＤＴＬの対象とすべき色相を決定し、次に強弱設定用信号Ａ2 の電圧値に応じて、そのＤＴＬ量の強弱を決定し、映像信号に所定のスキントーンＤＴＬ処理を施し、処理済み映像信号ＶO として出力する。なお、このときの映像信号ＶO の信号形態は、１０ビット並列のディジタル記録用フォーマットであるＤ−１信号などと同等の、多ビット構成のラインスキャン信号になっている。
【００１４】
ヘッド処理部４から出力された映像信号ＶO は、画素データ置換器１１と伝送部２の本線映像回線を介してＣＣＵ部３に伝送され、ここでＣＣＵ処理部７に入力され、ここから本線用映像信号と操作者用映像信号として出力され、操作者用映像信号がモニタに表示されることになる。
【００１５】
画素データ置換器１１は、範囲表示制御信号Ｂにより動作状態が制御され、この信号Ｂがオフのときは、ヘッド処理部４から出力された映像信号ＶO をそのまま出力し、範囲表示制御信号Ｂがオンのときは、ヘッド処理部４から出力されるスキントーンＤＴＬの対象となる色相部分の信号であることを示す指示信号Ｃを画面嵌め込み合成用の切換信号(キー信号)とし、この指示信号Ｃが存在する部分の映像信号ＶO の各画素の輝度レベルを所定の一定値に置換して、処理範囲確認用の映像信号ＶS に変換して出力する働きをする。
【００１６】
なお、この画素データ置換器１１は、例えば型式名７４ＬＳ１５７などとして知られているセレクタ回路ＩＣを複数個、並列に用いることにより容易に構成することができる。
すなわち、このＩＣを組合せて多回路２接点形の切換スイッチを形成し、複数ビットからなる２種の入力Ｘ、Ｙの何れかを制御入力Ｓの論理レベルによって選択し、選択された一方の入力を出力するように構成するのである。
【００１７】
そして、一方の入力Ｘの各ビットには、ヘッド処理部４から出力される並列ディジタル値からなる処理済み映像信号ＶO の各ビットを供給し、他方の入力Ｙには、例えば輝度１００％レベルに対応したディジタル値を固定的に印加しておくのである。
【００１８】
その上で、複数の制御入力Ｓは全て一括して並列にし、これに指示信号Ｃと範囲表示制御信号Ｂの論理積を印加するようにしてやれば良いのである。
【００１９】
従って、コントローラ１０の範囲表示スイッチがオフになっている間は、ヘッド処理部４から出力された映像信号ＶO がそのまま伝送部２の本線映像回線を介してＣＣＵ部３に伝送され、本線用映像信号として出力されると共に、モニタに表示されることになり、本番運用状態となる。
【００２０】
次に、操作者が、コントローラ１０のツマミを操作し、スキントーンＤＴＬなどの調整を行ったとすると、コントローラ１０から出力されている処理可変制御信号Ａの電圧値が変更される。
この処理可変制御信号Ａの電圧値は、伝送部２を介してヘッド処理部４に送られているため、このときのコントローラ１０での操作に応じて色相とＤＴＬ量が変えられ、この結果、必要なスキントーンＤＴＬ処理を与えることができる。
【００２１】
一方、操作者が処理対象範囲の確認を希望して、コントローラ１０の範囲表示スイッチをオンにしたとすると、コントローラ１０から出力される範囲表示制御信号Ｂがオンになり、この信号が伝送部２を介してヘッド部１の画素データ置換器１１の制御端子に入力され、この結果、画素データ置換器１１は、ヘッド処理部４からの指示信号Ｃが存在する期間(処理対象となる色相部分)だけ、映像信号ＶO を、画素単位で輝度１００％の一定レベルの信号に置き換え、これにより処理範囲確認用映像信号ＶS が作成されるように動作する。
【００２２】
このとき、ヘッド処理部４から出力される指示信号Ｃの電圧レベルは、次の通りになっている。すなわち、スキントーンＤＴＬ処理が対象とすべき色相の範囲では、５Ｖの電圧レベルとなり、対象色相の範囲外では、０Ｖ電圧となる。
従って、この指示信号Ｃの信号形態は二値のラインスキャン信号となる。
【００２３】
なお、参考までに説明すると、このときの色相の判断は、Ｒ、Ｇ、Ｂの各色信号のレベル比から得ることができる。
従って、この指示信号Ｃは、Ｒ、Ｇ、Ｂの各色信号のレベルが所望の比率になっているときだけ、電圧５Ｖになる信号となる。
【００２４】
この結果、スキントーンＤＴＬ処理を施した範囲がレベル最大値信号に置き換えられた映像信号ＶS が、ヘッド部１から伝送部２の本線映像回線を経由してＣＣＵ部３へ送られ、本線映像信号と操作者用映像信号として出力されることになり、これにより、モニタには、スキントーンＤＴＬ処理が施された部分が一律に輝度最大にされている画像が表示されるので、処理対象範囲を容易に確認することができるのである。
【００２５】
このときの操作者によるコントローラ１０のツマミとスイッチの操作手順について説明すると、以下の通りである。
▲１▼  範囲表示スイッチをオンし、スキントーンＤＴＬ対象範囲をモニタに表示させる。
▲２▼  対象色相範囲ツマミを動かし、モニタの表示範囲を、スキントーンＤＴＬ処理を施すべき色相範囲に合わせる。
▲３▼  スキントーンＤＴＬ対象範囲を確認したら、範囲表示スイッチをオフにする。
【００２６】
▲４▼  ＤＴＬ量ツマミを動かし、スキントーンＤＴＬ量を決定する。
【００２７】
【発明が解決しようとする課題】
上記従来技術は、本番用映像信号の伝送と、処理範囲確認用映像信号の伝送とに本線映像回線が共用されている点について配慮がされておらず、カメラが本番運用中での処理対象範囲の確認が制限されてしまうという問題があった。
【００２８】
すなわち、カメラを本番運用中にスキントーンＤＴＬ範囲の確認のため、処理範囲確認用映像信号を出力すると、本線映像回線が共用されているため、ＣＣＵ部での映像出力は、本線用、操作者用を問わず、何れも処理範囲確認用映像信号になってしまい、本番用映像信号が得られなくなってしまうので、本番運用中は処理範囲確認用映像信号が伝送できず、従って、処理対象範囲の確認が制限されてしまうのである。
【００２９】
このため、従来技術では、処理範囲の確認は、本番前のカメラのセッティング時にしか行えない。
しかして、例えば指示信号だけを伝送するケーブルなどを別途、敷設してやれば、本番運用中でも処理対象範囲の確認が可能になるが、この場合、ヘッド部とＣＣＵ部は、長い場合には数百メートル以上離れた場所に設置されるため、手間等を考慮すると、このようなケーブルの敷設は現実的とは言えない。
【００３０】
一方、たとえ本番中でも、スキントーンＤＴＬなどの再調整は不可避で、例えば、屋外等でのスポーツやイベントの収録においては、天候や時刻の変化による撮像条件の変化が避けられず、このとき、画像品質保持の点からすれば、本番中でのスキントーンＤＴＬ等の再調整は欠かせないのである。
【００３１】
本発明は、本番用映像信号の伝送と、処理範囲確認用映像信号の伝送とに本線映像回線が共用されているカメラシステムにおいて、スキントーンＤＴＬ調整の範囲確認を本番運用中にも行えるようにしたテレビジョンカメラ装置を提供することを目的とする。
【００３２】
【課題を解決するための手段】
上記目的は、ディジタル映像信号を発生するヘッド部と、このディジタル映像信号を伝送するための本線映像回線を備えた伝送部と、この伝送部を介して上記ヘッド部に結合されたＣＣＵ部とを有するテレビジョンカメラ装置において、上記ヘッド部から出力され、上記本線映像回線を介して上記ＣＣＵ部に伝送すべきディジタル映像信号の最下位ビットのデータを指示信号のデータで置換する手段と、上記ＣＣＵ部に伝送されたディジタル映像信号の最下位ビットのデータから上記指示信号を抽出する手段とを設け、ＣＣＵ部側で、上記指示信号により映像信号を処理し、処理範囲確認用映像信号を作成するようにして達成される。
【００３３】
上記各手段を設けた結果、映像信号と指示信号の双方を、本線映像回線を介するだけでＣＣＵ部に伝送することができ、この結果、本番用映像信号と、処理範囲確認用映像信号とがＣＣＵ部で独立して得られるので、本番運用中でも任意にスキントーンＤＴＬ調整を行なうことができる。
【００３４】
このとき、ＣＣＵ部に伝送された映像信号は、その最下位ビットが捨てられていることになるので、これによる影響が問題になる。
しかしながら、通常、ディジタル映像信号は、１０ビット前後の分解能のもとで階調情報を持つようにしてあり、このため、最下位ビットのデータが失われた場合でも、その変化は僅かで、一般の視聴者なら気付かれる虞れは殆どなく、まず問題にならない。
【００３５】
まして、スキントーンＤＴＬ調整に要する時間は、通常、かなり短時間に過ぎないので、専門家でも気付くことは稀であり、影響度は殆ど無く、従って、上記手段を設けることにより、充分に本発明の目的を果たすことができる。
【００３６】
【発明の実施の形態】
以下、本発明によるテレビジョンカメラ装置について、図示の実施形態により詳細に説明する。
図１は、本発明の一実施形態で、図において、５はＬＳＢ置換器、６はＬＳＢ抽出器、９は画素データ置換器であり、その他の構成は、図３で説明した従来技術と同じである。
また、装置全体も、ヘッド部１と伝送部２、それにＣＣＵ部３で構成されており、これも図３の従来技術と同じである。
なお、ここで、ＬＳＢとは、周知のように、Least Significant Bit の略称でマルチビットからなるデータの最下位ビットのことである。
【００３７】
次に、この実施形態の全体的な動作について説明する。
まず、ヘッド部１では、ヘッド処理部４から常時、映像信号ＶO と指示信号ＣがＬＳＢ置換器５に供給されている。
【００３８】
これにより、ＬＳＢ置換器５は、範囲表示が要求され、範囲表示制御信号Ｂが入力された場合、映像信号ＶO の最下位ビットを指示信号Ｃに従って所定のレベル、例えば、この指示信号Ｃのレベルと同じレベルのデータに置き換える動作を行う。
【００３９】
そして、このため、ヘッド処理部４からは、スキントーンＤＴＬの対象色相範囲を示す２値のラインスキャン信号形態からなる指示信号Ｃが出力され、ＬＳＢ置換器５に入力されている。
【００４０】
この結果、ＬＳＢ置換器５からは、後で詳述するように、範囲表示制御信号Ｂのオフ又はオンに応じ、映像信号ＶO 、又は映像信号ＶO の最下位ビットを指示信号Ｃに置換したＬＳＢ置換映像信号ＶT が出力される。
【００４１】
伝送部２は、ＬＳＢ置換器５を経由して供給される映像信号ＶO orＶT を本線映像回線を介してＣＣＵ部３へ伝送する動作を行うと共に、コントローラ１０から出力される各種制御信号等をヘッド部１に伝送する動作も行う。
【００４２】
一方、ＣＣＵ部３では、コントローラ１０からの処理可変制御信号Ａと範囲表示制御信号Ｂは伝送部２へ接続され、更に範囲表示制御信号ＢはＬＳＢ抽出器６制御端子に接続される。
【００４３】
また、伝送部２を介してＣＣＵ部３に入力された映像信号ＶO orＶT は、ＬＳＢ抽出器６を経由してＣＣＵ処理部７に入力され、これにより、ＣＣＵ処理部７からは、本線用映像信号と操作者用映像信号が出力される。
【００４４】
そして、本線用映像信号は、そのままＣＣＵ部３の外部へ出力され、他方、操作者用映像信号は画素データ置換器９を経由してから外部へ出力される。
また、このときＬＳＢ抽出器６から出力される指示信号Ｃは、画素データ置換器９の制御端子に入力される。
【００４５】
次に、ＣＣＵ部３からヘッド部１に伝送された処理可変制御信号Ａは、ヘッド処理部４の調整制御端子に入力され、範囲表示制御信号Ｂは、ＬＳＢ置換器５の制御端子へ入力される。
【００４６】
次に、本発明特有の構成要素であるＬＳＢ置換器５とＬＳＢ抽出器６、及び、これらによる本発明特有の動作について、説明する。
まず、ＬＳＢ置換器５は、図示のように、ヘッド部１内に設けられ、ヘッド処理部４から供給される処理済映像信号ＶO 及び指示信号Ｃを入力とし、ＣＣＵ部３内のコントローラ１０から伝送部２を介して供給される範囲表示制御信号Ｂを制御信号とする一種の切換回路で構成されている。
【００４７】
そして、このＬＳＢ置換器５は、範囲表示制御信号Ｂがオフのときは、ヘッド処理部４から供給された処理済映像信号ＶO をそのまま出力し、範囲表示制御信号Ｂがオンのときは、例えば１０ビットのディジタルデータからなる処理済映像信号ＶO のＬＳＢを指示信号Ｃで置換し、ＬＳＢ置換映像信号ＶT として出力する働きをする。
【００４８】
従って、このＬＳＢ置換器５の出力は、範囲表示制御信号Ｂがオフのときは、処理済映像信号ＶO となり、範囲表示制御信号Ｂがオンのときは、ＬＳＢ置換映像信号ＶT となり、これらの信号が、図示のように、伝送部２の本線映像回線を介してＣＣＵ部３に伝送され、ＬＳＢ抽出器６に入力されることになる。
【００４９】
図２は、ＬＳＢ置換器５の具体例で、図において、５０は映像信号ＶO の最下位ビットＬＳＢ信号切換用のスイッチ回路で、例えば型式名７４ＬＳ１５７などとして知られているセレクタ回路ＩＣで構成され、制御入力Ｓを備え、２個の入力Ｘ、Ｙの一方を、制御入力Ｓの信号レベルに応じて選択し、それを、最下位ビットＬＳＢの出力Ｚに取り出す働きをする。
【００５０】
従って、図示のように、入力Ｘに映像信号ＶO の最下位ビットＬＳＢを、そして入力Ｙには指示信号Ｃを夫々供給し、制御入力Ｓに範囲表示制御信号Ｂを入力してやれば、範囲表示制御信号Ｂがオフのときは、出力Ｚに映像信号ＶO の最下位ビットＬＳＢがそのまま取り出され、範囲表示制御信号Ｂがオンのときは、指示信号Ｃが取り出される。
【００５１】
この結果、範囲表示制御信号Ｂに応じて、映像信号ＶO 又はＬＳＢを指示信号Ｃに置換した映像信号ＶT を取り出すことができる、ＬＳＢ置換器５を容易に得ることができる。
【００５２】
ＬＳＢ抽出器６は、コントローラ１０から供給される範囲表示制御信号Ｂがオフのときは、入力されている映像信号ＶO をそのまま出力し、制御信号Ｂがオンのときは、映像信号ＶT のＬＳＢを抽出し、それを指示信号Ｃとして出力すると共に、ＬＳＢが抽出された残りの信号は、そのまま映像信号ＶT として出力するように構成されている。
【００５３】
このＬＳＢ抽出器６の出力である映像信号ＶO orＶT は、図示のように、ＣＣＵ処理部７に供給され、指示信号Ｃは、同じく図示のように、画素データ置換器９に供給される。
【００５４】
この画素データ置換器９は、ＣＣＵ部３内に設けられており、図示のように、ＣＣＵ処理部７から供給される映像信号ＶO orＶT と、ＬＳＢ抽出器６の出力である指示信号Ｃとを入力としているが、図３の従来技術における画素データ置換器１１と同じ構成を有し、これにより、同じく処理範囲確認用の映像信号を出力する働きをするものである。
【００５５】
従って、この画素データ置換器９は、範囲表示制御信号Ｂにより制御され、まず、この信号Ｂがオフのときは、ＣＣＵ処理部７から供給される映像信号ＶO をそのまま出力する。
【００５６】
次に、範囲表示制御信号Ｂがオンのときは、ＬＳＢ抽出器６から出力される指示信号Ｃを画面嵌め込み合成用の切換信号(キー信号)として、映像信号ＶT を画素単位で置換し、指示信号Ｃがオンになっている間、映像信号ＶT の各画素の輝度レベルを、例えば輝度１００％などの所定の一定値に置換し、処理範囲確認用の映像信号ＶTS に変換して出力するのである。
【００５７】
従って、この実施形態では、スキントーンＤＴＬ調整に不可欠な範囲表示が、コントローラ１０からの範囲表示制御信号Ｂにより、ヘッド部１のＬＳＢ置換器５と、ＣＣＵ部３のＬＳＢ抽出器６及び画素データ置換器９が動作することで行われることになる。
【００５８】
そして、このとき、ヘッド処理部４から出力される指示信号Ｃは、ＬＳＢ置換器５により、ディジタル映像信号の最下位ビット(ＬＳＢ)部分に、本来の映像信号ＶO の最下位ビット信号に代えて置換され、この際、映像信号ＶO の最下位ビットは捨てられ、映像信号ＶT にされてしまうことになる。
【００５９】
こうして、最下位ビット部分が指示信号Ｃに置換された映像信号ＶT は、伝送部２によってＣＣＵ部３に送られる。
そして、ＬＳＢ抽出器６により、範囲制御指示信号Ｂがオンされているときだけ、最下位ビット部分から指示信号Ｃを取り出し、画素データ置換器９に供給する。
【００６０】
そこで、この画素データ置換器９は、指示信号Ｃに応じて、映像信号ＶT の対応する画素データを一定レベルのデータに変更し、これにより指示信号Ｃが存在する期間だけ、画素単位で輝度１００％の一定レベルの信号に置き換えられた処理範囲確認用映像信号ＶTS を作成する。
【００６１】
従って、範囲制御指示信号Ｂがオフのときは、画素データ置換器９からは本来の映像信号ＶO がそのまま出力され、これによりモニタには、映像信号ＶO による画像が表示されることになり、通常のモニタ機能を得ることができると共に、範囲制御指示信号Ｂがオンされたときは、処理範囲確認用映像信号ＶTS が出力され、これによりモニタには、スキントーンＤＴＬ処理が施された部分が一律に輝度最大にされている画像が表示されるので、処理対象範囲を容易に確認することができる。
【００６２】
一方、このとき、ＣＣＵ処理部７には、映像信号ＶO 、又は映像信号ＶT の何れか一方の映像信号が必ず入力されているから、処理対象範囲確認中も、僅かな画質の劣化を伴うだけで、常に本来の映像信号ＶO 、若しくはそれと殆ど等価な映像信号ＶT を本線映像信号として供給することができる。
【００６３】
従って、この実施形態によれば、ＣＣＵ部３で、本来の映像信号ＶO orＶT から処理範囲確認用映像信号ＶTS を作成することができ、この結果、本線映像回線以外に別途、ケーブルを用いることなく、ＣＣＵ部３側で本来の映像信号ＶO orＶT と、処理範囲確認用映像信号ＶTS を独立して得られることになり、本番運用中でも任意にスキントーンＤＴＬ調整を行なうことができ、常に高品質の画像を容易に得ることができる。
【００６４】
【発明の効果】
本発明によれば、本来の映像信号に影響を与える虞れがほとんど無い、本線映像回線の最下位ビット伝送系を利用して処理対象範囲の指示信号を伝送し、ＣＣＵ部で処理範囲確認用映像信号を得るようにしたので、本線用の映像出力にほとんど影響を与えること無く、本番収録中でも、範囲の確認を行いながらのスキントーンＤＴＬ調整が実施できる。
【００６５】
従って、必要な調整操作を任意に行うことができ、常に高画質の保持が可能なカメラシステムを容易に提供することができる。
【図面の簡単な説明】
【図１】本発明によるテレビジョンカメラ装置の一実施形態を示すブロック構成図である。
【図２】本発明の一実施形態におけるＬＳＢ置換器の一例を示す説明図である。
【図３】従来技術によるテレビジョンカメラ装置の一例を示すブロック構成図である。
【符号の説明】
１  ヘッド部(カメラヘッド部)
２  伝送部(ケーブルを含)
３  ＣＣＵ部(カメラ制御部)
４  ヘッド処理部
５  ＬＳＢ置換器
６  ＬＳＢ抽出器
７  ＣＣＵ処理部
９  画素データ置換部
１０  コントローラ
１１  画素データ置換器
【図１】
0003668569.tif 000002
【図２】
0003668569.tif 000003
【図３】
0003668569.tif 000004